(57)【特許請求の範囲】
【請求項１】
硬質合成樹脂により、外周縁部に突起を周設すると共に、該突起に囲繞された一方側には、前記突起の上面より低位に位置する方形状の平面部を備えた食べ物載置プレートが形成され、且つ前記平面部上の前・後位置に間隔を有して、スプーンを差込んで横方向に摺動することのできる巾の、前記平面部より低位に位置し、且つ上方側へ拡開した傾斜壁面を備えた横長方形状の凹溝を、前記平面部の略全長に亘ってそれぞれ凹設する一方、前記突起に囲繞された他方側であって、前記方形状の平面部を備えた食べ物載置プレートの他端部には、前記突起の上面より低位に位置する円状の平面部を備えた食べ物載置プレートが一体に連結固定して形成され、且つ前記円状の平面部の中央部には、スプーンを差込んで横方向に摺動することのできる巾の、前記平面部より低位に位置し、且つ上方側へ拡開した傾斜壁面を備えた横長方形状の１本の凹溝を、前記平面部の略全長に亘って凹設したことを特徴とする幼児または手の不自由な人の食事用プレート。
【発明の詳細な説明】
【技術分野】
【０００１】
本発明は、幼児または手の不自由な人が食事をするときに使用する食事用プレートであって、プレートにスプーン巾の溝を横方向に凹設して、該溝にごはんやおかず等の食べ物を落し込んで、幼児または手の不自由な人が、該溝に沿ってスプーンを前記溝の一端部より他端部側へ前記食べ物ごと移動させて、他端部縁まで達したときに前記食べ物の移動が阻止されて、そのまま前記スプーンで食べ物をこぼすことなく、簡単にすくい上げて、食することができる幼児または手の不自由な人の食事用プレートに関するものである。
【背景技術】
【０００２】
従来、幼児または手の不自由な人の食事用プレートとしては、一般に合成樹脂製の皿状のものが使用されているに過ぎず、食べ物をうまく掴めない幼児の場合は、親が食事の手助けをたり、また手の不自由な人の場合は、身内や介護者が食事の手助けをする等していた。そして、プレートに形成された長溝内に食べ物を落し込んでスプーンですくい上げるという技術思想につき、過去の特許文献を遡及探索しても、同一または類似する技術思想は１件も開示されておらず、単に下記特許文献に示す「携帯用食器」が開示されているに過ぎない。
【先行技術文献】
【特許文献】
【０００３】
【特許文献１】実用新案登録第３１１０７５０号公報
【発明の開示】
【発明が解決しようとする課題】
【０００４】
前記従来使用されている幼児または手の不自由な人の食事用プレートは、落しても割れないように、単に合成樹脂で皿状に形成されているだけで、幼児または手の不自由な人が食べ物を凹溝に沿ってスプーンで移動させて、端部に該食べ物を寄せ集めて、前記スプーンですくい上げるという手段を備えていないので、幼児または手の不自由な人が食べ物をこぼしてしまうという課題があった。
【０００５】
また、前記特許文献１記載の発明は、「携帯用食器」に関するものであって、幼児のいる家族がレストラン等で外食する場合であっても、食べ物を容易、且つ能率的に千切る等の操作ができるよう形成されているが、幼児または手の不自由な人自身が食べ物を自分の手を用いて食事をするということを目的としておらず、親が千切る等の操作をするものであるので、幼児または手の不自由な人に食事の訓練をさせることができないという課題があった。
【０００６】
本発明は前記課題を解決すべくなされたものであって、プレートにスプーン巾の溝を有して横方向に凹設して、該溝にごはんやおかず等の食べ物を落し込んで、幼児または手の不自由な人が該溝に沿って、スプーンを前記溝の一端部に差込み他端部側へ前記食べ物ごと移動させて、他端部縁まで達したときに、前記食べ物の移動が阻止されて、そのまま前記スプーンで食べ物をこぼすことなく、簡単にすくい上げて食することができると共に、幼児または手の不自由な人に食事の訓練をもさせることができるようにした幼児または手の不自由な人の食事用プレートを提供しようとするものである。
【課題を解決するための手段】
【０００７】
本発明は、硬質合成樹脂により、外周縁部に突起を周設すると共に、該突起に囲繞された一方側には、前記突起の上面より低位に位置する方形状の平面部を備えた食べ物載置プレートが形成され、且つ前記平面部上の前・後位置に間隔を有して、スプーンを差込んで横方向に摺動することのできる巾の、前記平面部より低位に位置し、且つ上方側へ拡開した傾斜壁面を備えた横長方形状の凹溝を、前記平面部の略全長に亘ってそれぞれ凹設する一方、前記突起に囲繞された他方側であって、前記方形状の平面部を備えた食べ物載置プレートの他端部には、前記突起の上面より低位に位置する円状の平面部を備えた食べ物載置プレートが一体に連結固定して形成され、且つ前記円状の平面部の中央部には、スプーンを差込んで横方向に摺動することのできる巾の、前記平面部より低位に位置し、且つ上方側へ拡開した傾斜壁面を備えた横長方形状の１本の凹溝を、前記平面部の略全長に亘って凹設するという手段を採用することにより、上記課題を解決した。
【発明の効果】
【０００８】
前記構成より成る本発明によれば、食べ物載置プレートの、突起の上面より低位に位置する平面部上に食べ物を載置し、幼児または手の不自由な人が自分でスプーンを使用して、前記平面部より低位に位置し、且つ上方側へ拡開した傾斜壁面を備えた横長方形状の凹溝へ食べ物を落とし込み、然る後、該凹溝の一端部側へスプーンを差込み、他端部側へ該スプーンを食べ物ごと移動させて、該他端縁部まで達したときに、前記食べ物の移動が阻止されて、そのまま前記スプーンに簡単に前記食べ物をすくい上げて食することができ、幼児または手の不自由な人が食べ物を残さずにきれいに食するという習慣を身につけさせることができると共に、食事の訓練をもさせることができる。また更に、前記横長方形状の凹溝には上方側へ拡開した傾斜壁面を備えているため、前記凹溝へのスプーンの出し入れとその移動がスムーズに行え、幼児または手の不自由な人にとって極めて優れた食事訓練具である。
【図面の簡単な説明】
【０００９】
【図１】本発明幼児または手の不自由な人の食事用プレートの実施の一例を示す全体の斜視図である。
【図２】本発明幼児または手の不自由な人の食事用プレートにおいて、食べ物を凹溝に落し込もうする状態を示す、図１のＡ―Ａ線断面図である。
【図３】本発明幼児または手の不自由な人の食事用プレートにおいて、食べ物を凹溝に落し込んですくい上げようとする状態を示す、図１のＡ―Ａ線断面図である。
【図４】本発明幼児または手の不自由な人の食事用プレートにおいて、食べ物を凹溝に落し込もうする状態を示す、図１のＢ―Ｂ線断面図である。
【図５】本発明幼児または手の不自由な人の食事用プレートにおいて、食べ物を凹溝に落し込んですくい上げようとする状態を示す、図１のＢ―Ｂ線断面図である。
【実施例】
【００１０】
本発明は、硬質合成樹脂により、外周縁部に突起を周設すると共に、該突起に囲繞された一方側には、前記突起の上面より低位に位置する方形状の平面部を備えた食べ物載置プレートが形成され、且つ前記平面部上の前・後位置に間隔を有して、スプーンを差込んで横方向に摺動することのできる巾の、前記平面部より低位に位置し、且つ上方側へ拡開した傾斜壁面を備えた横長方形状の凹溝を、前記平面部の略全長に亘ってそれぞれ凹設する一方、前記突起に囲繞された他方側であって、前記方形状の平面部を備えた食べ物載置プレートの他端部には、前記突起の上面より低位に位置する円状の平面部を備えた食べ物載置プレートが一体に連結固定して形成され、且つ前記円状の平面部の中央部には、スプーンを差込んで横方向に摺動することのできる巾の、前記平面部より低位に位置し、且つ上方側へ拡開した傾斜壁面を備えた横長方形状の１本の凹溝を、前記平面部の略全長に亘って凹設して形成された幼児または手の不自由な人の食事用プレートであり、以下本発明の実施例を図面に基づいて詳細に説明する。
【００１１】
図１は本発明幼児または手の不自由な人の食事用プレートの実施の一例を示す全体の斜視図であり、メラミン樹脂等の硬質合成樹脂により、外周縁部に突起１を周設すると共に、該突起１に囲繞された一方側には、前記突起１の上面より低位に位置する方形状の平面部２を備えた食べ物載置プレート３が形成されると共に、前記平面部２上の前・後位置に間隔を有して、幼児または手の不自由な人が食べ物４を食するときに使用するスプーン５を差込んで横方向に摺動することのできる巾の、前記平面部２より低位に位置し、且つ上方側へ拡開した傾斜壁面を備えた横長方形状の凹溝６を、前記平面部の略全長に亘ってそれぞれ凹設して形成されている。
【００１２】
更に、図１に示すように、前記突起１に囲繞された他方側であって、前記方形状の平面部２を備えた食べ物載置プレート３の他端部には、前記突起１の上面より低位に位置する円状の平面部２を備えた食べ物載置プレート３ａが一体に連結固定して形成され、且つ前記平面部２の中央部に、幼児または手の不自由な人が食べ物４を食するときに使用するスプーン５を差込んで横方向に摺動することのできる巾の、前記平面部２より低位に位置し、且つ上方側へ拡開した傾斜壁面を備えた横長方形状の凹溝６が１本凹設して形成されている。
【００１３】
前記構成より成る本発明幼児または手の不自由な人の食事用プレートの作用について説明すると、図２に示すように、食べ物載置プレート３の前・後位置に凹設された凹溝６間の平面部２上に食べ物４を載置し、そして図３に示すように、幼児または手の不自由な人が自分でスプーン５を使用して、前記食べ物４を前記凹溝６の両方、またはいずれか一方へ落し込み（図３においては、一方の凹溝に落し込んでいる）、然る後、該凹溝６の一端部側へスプーン５を差し込み、他端部側へ該スプーン５を前記食べ物４ごと移動させて、該他端縁部まで達したときに、前記食べ物４の移動が阻止されて、そのまま簡単に前記スプーン５に簡単に前記食べ物４をすくい上げて食することができる。
【００１４】
すなわち、幼児または手の不自由な人は、皿にちらばった米粒やコーン等を上手にスプーンで集めることが難しいが、前記のように凹溝６に米粒等の食べ物５を落し込んでスプーン５で簡単に寄せ集めることができ、これにより幼児または手の不自由な人が食べ物４を残さずにきれいに食するという習慣を身につけさせることができるのである。
【００１５】
また、図４に示すように、前記食べ物載置プレート３ａの平面部２上に食べ物４を載置し、そして図５に示すように、幼児または手の不自由な人が自分でスプーン５を使用して、前記食べ物４を凹溝６へ落し込み、然る後、該凹溝６の一端部側へスプーン５を差し込み、他端部側へ該スプーン５を移動させて、該他端縁部まで達したときに、前記食べ物４の移動が阻止されて、そのまま簡単に前記スプーン５に簡単に前記食べ物４をすくい上げて食することができる。
【００１６】
なお、前記実施例においては、食べ物載置プレート３および３ａを一体に連結固定したものとして説明したが、そのいずれか一方を取去った構成とすることもでき、また前記凹溝６も少なくとも１本凹設した構成であってもその目的を達成することができる。
【符号の説明】
【００１７】
１  突起
２  平面部
３・３ａ  食べ物載置プレート
４  食べ物
５  スプーン
６  凹溝
【図１】
0006739905.tif 000002
【図２】
0006739905.tif 000003
【図３】
0006739905.tif 000004
【図４】
0006739905.tif 000005
【図５】
0006739905.tif 000006